(57)【要約】【課題】  ゴムパッドの改良構造を提供することを課題とする。【解決手段】   内部に凹溝を形成する滑り止めパッドと、台座を設け、前記台座の一側から複数の固定片が鉛直に延伸するように設置され、且つ、固定部材の周りに複数の切欠部を設け、台座を滑り止めパッドの凹溝内に置く固定部材を含む。上記構造を通じて、前記ゴムパッドの固定片は電話機等の３C、或いは、各種文具、事務用品の底面に係合させることで、簡単に組み立てることができ、且つ、脱落し難く、並びに、滑り止め機能を具備することを特徴とする。【選択図】   図４
0003138760.tif 000002
【実用新案登録請求の範囲】
【請求項１】
ゴムパッドの改良構造であって、
内部に凹溝を形成する滑り止めパッド、及び、
台座を設け、前記台座の一側から複数の固定片を鉛直に延伸するように設置され、且つ固定部材の周りに複数の切欠部を設け、台座が前記滑り止めパッドの凹溝内に置かれた固定部材を含むことを特徴とする、ゴムパッドの改良構造。
【請求項２】
請求項１記載のゴムパッドの改良構造において、前記固定片の末端の外周縁から固定端が水平に延伸するように設置されることを特徴とする、ゴムパッドの改良構造。
【請求項３】
請求項２記載のゴムパッドの改良構造において、前記固定端が逆フック状を呈することを特徴とする、ゴムパッドの改良構造。
【請求項４】
請求項１記載のゴムパッドの改良構造において、前記滑り止めパッドが軟質プラスチックであることを特徴とする、ゴムパッドの改良構造。
【請求項５】
請求項４記載のゴムパッドの改良構造において、前記滑り止めパッド表面に滑り止め粗化面を設置することを特徴とする、ゴムパッドの改良構造。
【考案の詳細な説明】
【技術分野】
【０００１】
本考案は、ゴムパッドの改良構造に関り、特に、複数の固定片を具備するゴムパッドで、前記ゴムパッドの固定片は、電話機等の３C或いは各種文具、事務用品の底面に係合させることで、簡単に組み立てることができ、且つ、脱落し難く、並びに滑り止め機能を具えることにある。
【背景技術】
【０００２】
現在多くのコンピュータ、通信、家庭用電化製品等の３C或いは各種文具、事務用品等の製品底面、例えば電話機、コンピュータのキーボード、プリンタ等には、ほぼゴムパッドが設置されており、その目的は滑り防止機能を強化するためであるが、従来のゴムパッドは、ほとんどが粘着方法で製品底面に貼り付けてあるため、幾度にも渡り接触面と摩擦すると、従来のゴムパッドが容易に移動及び脱離してしまい、不便なところがあった。
【０００３】
図１から図３に示すように従来のゴムパッド１は、その一側に粘着剤１２が塗布された滑り止めパッド１１と、粘着剤１２を覆い且つ滑り止めパッド１１から剥離しやすい離形紙２を含む。離形紙２の滑り止めパッド１１から剥してゴムパッド１の粘着面を電話機２’等の３C或いは各種文具、事務用品の底面２１’に貼り付ける。ゴムパッド１は、粘着剤１２で製品の底面２１’に貼り付けるため、使用期間が長くなると、粘着剤１２の部分が容易に変質することで粘着性が消失してしまうことにより、滑り止め機能が喪失してしまう。更に、事前に滑り止めパッド１１の一側に粘着剤１２を塗布してから離形紙２を貼り付け、使用時に又前記離形紙２を剥がさなければならないということは、生産製造或いは使用上を問わず極めて不便なものとなっている。
【０００４】
これにより、上記の従来の物品には、多くの欠陥があり、実際良好な設計ではなく、更なる改良が必要とされてきた。
【考案の開示】
【考案が解決しようとする課題】
【０００５】
本考案の主な目的は、滑り止めパッドの凹溝内に固定部材を設け、また固定部材上から複数の固定片を延伸し、並びに固定片を利用して簡単に電話機等の３C或いは各種文具、事務用品の底面に係合させ、その製造及び組み立て方法も極めて簡単で、且つ使用上においても粘着剤が容易に変質、脱落する恐れがないことにある。
【０００６】
本考案の別の目的は、摩擦力を向上させることで移動し難くなり、且つ滑り防止機能を強化するため、ゴムパッドの滑り止めパッドにおいて各種形状の粗化面或いは異なる寸法のゴムパッドを形成することにある。
【課題を解決するための手段】
【０００７】
上記の目的を達成するために、本考案のゴムパッドの改良構造は、滑り止めパッドの内部に凹溝を形成させ、凹溝内に固定部材を設け、また固定部材に台座を設け、前記台座の一側から複数の固定片が鉛直に延伸するように設置され、且つ前記固定部材の周りに複数の切欠部を設け、前記固定部材の台座を前記滑り止めパッドの凹溝内に置き、固定片を利用して電話機等の３C或いは各種文具、事務用品の底面に係合させることで、簡単にゴムパッドをその上に固定できるゴムパッドの改良構造となっている。
【０００８】
本考案の特徴と実施に関し、図面を組み合わせて好適な実施例を以下のとおり詳細に説明する。
【０００９】
本考案の構造、使用及び特徴について審査官が更に明確、詳細に認識と理解していただくため、考案者は好適な実施例を介し図面を組み合わせることで、本考案に対する詳細な説明を以下のとおり行うものである。
【００１０】
図４から図７に示すゴムパッドの改良構造について、このゴムパッド３には、
内部に凹溝３１１を形成し、表面に滑り止め粗化面３１２を設置する滑り止めパッド３１と、
前記滑り止めパッド３１の凹溝３１１内に置かれ、台座３２１を具備し、
前記台座３２１の一側から複数の固定片３２２を鉛直に延伸するように設置され、前記固定片３２２の末端の外周縁から固定端３２２１を水平に延伸するよう設置し、略逆フック状を呈し、且つ固定部材３２の周りに複数の切欠部３２３が設置される固定部材３２を含む。
【００１１】
上記の構成部材で組成されるゴムパッド３は、その固定片３２２を例えば電話機２等の３C或いは各種文具、事務用品等の底面２１の収容空間２１１内に挿入することで、前記固定端３２２１がちょうど溝２１２内に係合させることができるようになることで、容易に脱落せず、且つ滑り止め機能を果たす。
【００１２】
更に、本考案のゴムパッド改良構造の寸法或いは形状は、異なる需要によって変化させることができ、例えば図８に示す本考案の別の実施例は、前記ゴムパッドは寸法が比較的大きい楕円状となることで、その摩擦力を向上させることができ、また異なる需要に応じて各種幾何図形を作製できる。
【００１３】
上述の詳細な説明は、本考案の実施可能な実施例を具体的に説明しているが、前記実施例は本考案の実用新案登録範囲を制限するものではなく、本考案の技術精神を脱しない同等効果の実施または変更は全て本考案の範囲に含まれる。
【００１４】
上述をまとめると、本案は物品の形状、構造又は取付上確実に新規性を有するだけではなく、公知構造のものと比べても上述のように進歩性を有するものであり、十分に法で定められた特許請求の要件に符合するものであり、ここに法律に基づき申請を行う。貴局は本件の実用新案登録願を受け付けていただき、一日も早く登録していただくよう切に願います。
【図面の簡単な説明】
【００１５】
【図１】従来のゴムパッドの組み合わせ図である。
【図２】従来のゴムパッドの滑り止めパッドから離形紙を剥した見取図である。
【図３】従来のゴムパッドにおける滑り止めパッドを製品に貼り付けた見取図である。
【図４】本考案のゴムパッドの改良構造の立体分解図である。
【図５】本考案のゴムパッドの改良構造の立体見取図である。
【図６】本考案のゴムパッドの改良構造を製品底面に置いた断面図である。
【図７】本考案のゴムパッドの改良構造を製品底面に置いた見取図である。
【図８】本考案のゴムパッドの別の実施例の見取図である。
【符号の説明】
【００１６】
１    ゴムパッド
２、２’電話機
３      ゴムパッド
１１    滑り止めパッド
１２    粘着剤
１３    離形紙
２１、２１’ 底面
３１    滑り止めパッド
３２    固定部材
２１１  収容空間
２１２  溝
３１１  凹溝
３１２  粗化面
３２１  台座
３２２  固定片
３２３  切欠部
３２２１固定端
【図１】
0003138760.tif 000003
【図２】
0003138760.tif 000004
【図３】
0003138760.tif 000005
【図４】
0003138760.tif 000006
【図５】
0003138760.tif 000007
【図６】
0003138760.tif 000008
【図７】
0003138760.tif 000009
【図８】
0003138760.tif 000010